(57)【要約】  再構築可能な人工衛星アクセスポイントは、輸送用装着構造と、輸送用装着構造と一体化された少なくとも１つのアンテナとを含み、輸送用装着構造は、人工衛星アクセスポイントが輸送形態と展開形態との間で容易に再構築されるのを可能にし、輸送形態における人工衛星アクセスポイントは、人工衛星アクセスポイントが地球上の遠隔の人工衛星アクセスサイトに輸送されることを可能にする輸送コンテナの形態要因を有し、展開形態における人工衛星アクセスポイントは、人工衛星アクセスサイトで少なくとも１つのアンテナを空に公開する。さらに、人工衛星アクセスサイトを構成するための方法であって、人工衛星アクセスポイントを作成するために、少なくとも１つのアンテナを輸送用装着構造と一体化するステップと、人工衛星アクセスポイントが輸送コンテナの形態要因を有する輸送形態になるように人工衛星アクセスポイントを構築するステップと、人工衛星アクセスサイトのために、地球上で所望の位置に人工衛星アクセスポイントを輸送するステップと、少なくとも１つのアンテナを空に公開するために、前記サイトで展開形態になるように人工衛星アクセスポイントを再構築するステップと、を備える。
2019501573.tif 000002
【特許請求の範囲】
【請求項１】
再構築可能な人工衛星アクセスポイントであって、
輸送用装着構造と、
前記輸送用装着構造と一体化された少なくとも１つのアンテナと、
を備え、
前記輸送用装着構造は、前記人工衛星アクセスポイントが輸送形態と展開形態との間で容易に再構築されるのを可能にし、
前記輸送形態における前記人工衛星アクセスポイントは、前記人工衛星アクセスポイントが地球上の遠隔の人工衛星アクセスサイトに輸送されることを可能にする輸送コンテナの形態要因を有し、
前記展開形態における前記人工衛星アクセスポイントは、前記人工衛星アクセスサイトで前記少なくとも１つのアンテナを空に公開する、再構築可能な人工衛星アクセスポイント。
【請求項２】
前記輸送用装着構造は、容器型サブ構造を備え、
前記容器型サブ構造は、ベースと、少なくとも１つの壁と、を含み、
前記ベースは、前記人工衛星アクセスサイトにおいて地面に前記人工衛星アクセスポイントを装着するためのものであり、
前記少なくとも１つの壁及び前記ベースは、輸送中に前記少なくとも１つのアンテナを包囲し、
前記少なくとも１つの壁は、前記人工衛星アクセスサイトにおいて前記少なくとも１つのアンテナを空に公開するために、前記ベースに対して回動的に移動可能であり、又は前記ベースから取り外し可能であり、或いは前記ベースに対して回動的に移動可能であり、且つ前記ベースから取り外し可能である、請求項１に記載の人工衛星アクセスポイント。
【請求項３】
前記容器型サブ構造は、前記ベースに対する前記少なくとも１つの壁の回動的な移動を可能にする、又は、前記少なくとも１つの壁が前記ベースから取り外されることを可能にする、或いは、前記ベースに対する前記少なくとも１つの壁の回動的な移動を可能にし、且つ、前記少なくとも１つの壁が前記ベースから取り外されることを可能にするための少なくとも１つのコネクタをさらに含む、請求項２に記載の人工衛星アクセスポイント。
【請求項４】
前記少なくとも１つの壁は、少なくとも１つの端壁及び少なくとも１つの側壁を備える、請求項２又は３に記載の人工衛星アクセスポイント。
【請求項５】
前記容器型サブ構造は、上壁又は上壁部分をさらに含む、請求項２〜４のいずれか一項に記載の人工衛星アクセスポイント。
【請求項６】
前記容器型サブ構造は、前記上壁又は前記上壁部分を前記少なくとも１つの壁に回動的に且つ取り外し可能に取り付けることのうちの少なくとも１つのための少なくとも１つのコネクタをさらに含み、
それによって、前記少なくとも１つの壁に対する前記上壁又は前記上壁部分の回動的な移動を可能にし、又は、前記上壁又は前記上壁部分が前記少なくとも１つの壁から取り外されることを可能にし、或いは、前記少なくとも１つの壁に対する前記上壁又は前記上壁部分の回動的な移動を可能にし、且つ前記上壁又は前記上壁部分が前記少なくとも１つの壁から取り外されることを可能にする、請求項５に記載の人工衛星アクセスポイント。
【請求項７】
前記容器型サブ構造は、前記少なくとも１つの壁を自動的に回動する、又は前記少なくとも１つの壁が制御された方法で手動的に回動されること及び手動的に取り外されることのうちの少なくとも１つを可能にするためのスロー解放機構をさらに含む、請求項２〜６のいずれか一項に記載の人工衛星アクセスポイント。
【請求項８】
前記容器型サブ構造は、前記上壁又は前記上壁部分を自動的に回動する、又は前記上壁又は前記上壁部分が制御された方法で手動的に回動されること及び手動的に取り外されることのうちの少なくとも１つを可能にするためのスロー解放機構をさらに含む、請求項５〜７のいずれか一項に記載の人工衛星アクセスポイント。
【請求項９】
前記スロー解放機構は、前記少なくとも１つのコネクタのうちの少なくとも１つと一体化される、請求項７又は８に記載の人工衛星アクセスポイント。
【請求項１０】
前記人工衛星アクセスサイトにおいて地面に前記少なくとも１つの壁を固定するための固定具をさらに備える、請求項２〜９のいずれか一項に記載の人工衛星アクセスポイント。
【請求項１１】
前記人工衛星アクセスサイトにおいて地面に前記上壁又は前記上壁部分を固定するための固定具をさらに備える、請求項５〜９のいずれか一項に記載の人工衛星アクセスポイント。
【請求項１２】
前記人工衛星アクセスポイントは、互いに取り外し可能に接続された少なくとも２つの人工衛星アクセスポイントサブユニットを備える、請求項１〜１１のいずれか一項に記載の人工衛星アクセスポイント。
【請求項１３】
前記少なくとも１つのアンテナは、複数のアンテナを備え、
前記人工衛星アクセスポイントサブユニットのそれぞれは、前記複数のアンテナのうちの少なくとも１つを含む、請求項１２に記載の人工衛星アクセスポイント。
【請求項１４】
アンテナ電子部品をさらに備える、請求項１〜１３のいずれか一項に記載の人工衛星アクセスポイント。
【請求項１５】
前記アンテナ電子部品は、モデムと、モータコントローラと、ＲＦ設備とを備える、請求項１４に記載の人工衛星アクセスポイント。
【請求項１６】
人工衛星アクセスサイト設備をさらに備える、請求項１〜１５のいずれか一項に記載の人工衛星アクセスポイント。
【請求項１７】
前記人工衛星アクセスサイト設備は、中央コントローラ、電力変換システム、及び補助電力システムのうちの少なくとも１つを備える、請求項１６に記載の人工衛星アクセスポイント。
【請求項１８】
請求項１〜１７のいずれか一項に記載の人工衛星アクセスポイントの少なくとも１つを備える、迅速に展開可能な人工衛星アクセスサイト。
【請求項１９】
人工衛星アクセスサイトを構成するための方法であって、
人工衛星アクセスポイントを作成するために、少なくとも１つのアンテナを輸送用装着構造と一体化するステップと、
前記人工衛星アクセスポイントが輸送コンテナの形態要因を有する輸送形態になるように前記人工衛星アクセスポイントを構築するステップと、
前記人工衛星アクセスサイトのために、地球上の所望の位置に前記人工衛星アクセスポイントを輸送するステップと、
前記少なくとも１つのアンテナを空に公開するために、前記サイトで展開形態になるように前記人工衛星アクセスポイントを再構築するステップと、
を備える、方法。
【請求項２０】
輸送する前記ステップの前に、前記人工衛星アクセスポイントを検査するステップをさらに備える、請求項１９に記載の方法。
【請求項２１】
前記人工衛星アクセスサイトのために、地球上の所望の位置において、前記人工衛星アクセスポイントを輸送用ビークルから取り外すステップをさらに備える、請求項１９又は２０に記載の方法。
【請求項２２】
地球上の所望の位置において、人工衛星アクセスポイントの少なくとも１つのアンテナアセンブリを他の人工衛星アクセスサイトの構成要素に接続するステップをさらに備える、請求項１９〜２１のいずれか一項に記載の方法。
【請求項２３】
前記他の人工衛星アクセスサイトの構成要素をインターネット又は他のネットワーク及びローカルな電力グリッドの少なくとも１つに接続するステップをさらに備える、請求項２２に記載の方法。
【請求項２４】
輸送用装着構造は、容器型サブ構造を備え、
前記容器型サブ構造は、ベースと、少なくとも１つの壁と、を含み、
前記ベースは、前記人工衛星アクセスサイトにおいて地面に前記人工衛星アクセスポイントを装着するためのものであり、
前記少なくとも１つの壁及び前記ベースは、輸送中に前記少なくとも１つのアンテナを包囲し、
前記少なくとも１つの壁は、前記人工衛星アクセスサイトにおいて前記少なくとも１つのアンテナを空に公開するために、前記ベースに対して回動的に移動可能であり、又は前記ベースから取り外し可能であり、或いは前記ベースに対して回動的に移動可能であり、且つ前記ベースから取り外し可能である、請求項１９〜２３のいずれか一項に記載の方法。
【請求項２５】
前記容器型サブ構造は、前記ベースに対する前記少なくとも１つの壁の回動的な移動を可能にする、又は、前記少なくとも１つの壁が前記ベースから取り外されることを可能にする、或いは、前記ベースに対する前記少なくとも１つの壁の回動的な移動を可能にし、且つ、前記少なくとも１つの壁が前記ベースから取り外されることを可能にするための少なくとも１つのコネクタをさらに含む、請求項２４に記載の方法。
【請求項２６】
前記少なくとも１つの壁は、少なくとも１つの端壁及び少なくとも１つの側壁を備える、請求項２４又は２５に記載の方法。
【請求項２７】
前記容器型サブ構造は、上壁又は上壁部分をさらに含む、請求項２４〜２６のいずれか一項に記載の方法。
【請求項２８】
前記容器型サブ構造は、前記上壁又は前記上壁部分を前記少なくとも１つの壁に回動的に且つ取り外し可能に取り付けることのうちの少なくとも１つのための少なくとも１つのコネクタをさらに含み、
それによって、前記少なくとも１つの壁に対する前記上壁又は前記上壁部分の回動的な移動を可能にし、又は、前記上壁又は前記上壁部分が前記少なくとも１つの壁から取り外されることを可能にし、或いは、前記少なくとも１つの壁に対する前記上壁又は前記上壁部分の回動的な移動を可能にし、且つ前記上壁又は前記上壁部分が前記少なくとも１つの壁から取り外されることを可能にする、請求項２７に記載の方法。
【請求項２９】
スロー解放機構により、制御された方法で前記少なくとも１つの壁を自動的に回動するステップ、又は、スロー解放機構により、制御された方法で前記少なくとも１つの壁が手動的に回動されること及び手動的に取り外されることのうちの少なくとも１つを可能にするステップをさらに備える、請求項２４〜２８のいずれか一項に記載の方法。
【請求項３０】
スロー解放機構により、制御された方法で前記上壁又は前記上壁部分を自動的に回動するステップ、又は、スロー解放機構により、制御された方法で前記上壁又は前記上壁部分が手動的に回動されること及び手動的に取り外されることのうちの少なくとも１つを可能にするステップをさらに備える、請求項２７〜２９のいずれか一項に記載の方法。
【請求項３１】
前記スロー解放機構は、前記少なくとも１つのコネクタのうちの少なくとも１つと一体化される、請求項２９又は３０に記載の方法。
【請求項３２】
固定具により、前記少なくとも１つの壁を地面に固定するステップをさらに備える、請求項２４〜３１のいずれか一項に記載の方法。
【請求項３３】
固定具により、前記上壁又は前記上壁部分を地面に固定するステップをさらに備える、請求項２７〜３１のいずれか一項に記載の方法。
【請求項３４】
前記人工衛星アクセスポイントは、互いに取り外し可能に接続された少なくとも２つの人工衛星アクセスポイントサブユニットを備える、請求項２３〜３３のいずれか一項に記載の方法。
【請求項３５】
前記少なくとも１つのアンテナは、複数のアンテナを備え、
前記人工衛星アクセスポイントサブユニットのそれぞれは、前記複数のアンテナのうちの少なくとも１つを含む、請求項３４に記載の方法。
【請求項３６】
前記人工衛星アクセスポイントは、アンテナ電子部品をさらに備える、請求項２３〜３５のいずれか一項に記載の方法。
【請求項３７】
前記アンテナ電子部品は、モデムと、モータコントローラと、ＲＦ設備とを備える、請求項３６に記載の方法。
【請求項３８】
前記構成要素は、人工衛星アクセスサイト設備をさらに備える、請求項２３〜３７のいずれか一項に記載の方法。
【請求項３９】
前記人工衛星アクセスサイト設備は、中央コントローラ、電力変換システム、及び補助電力システムのうちの少なくとも１つを備える、請求項３８に記載の方法。
【請求項４０】
前記人工衛星アクセスサイトの１つ又は複数の構成要素をインターネット又は他のネットワークを通じて静止軌道ではない人工衛星群と接続するステップをさらに備える、請求項２３〜３９のいずれか一項に記載の方法。
【請求項４１】
前記人工衛星と接続された前記人工衛星アクセスサイトの１つ又は複数の構成要素の指向及び取得成分を自動的に調整するステップをさらに備える、請求項４０に記載の方法。
【請求項４２】
データをインターネット又は他のネットワークから前記人工衛星及び１つ又は複数のユーザー端末へ流れさせるように、前記人工衛星と接続した前記人工衛星アクセスサイトの１つ又は複数の構成要素を前記人工衛星と通信させるステップをさらに備える、請求項４１に記載の方法。
【請求項４３】
前記少なくとも１つのアンテナの間の十分な距離を提供するために、人工衛星アクセスポイントサブユニットを分離させるステップをさらに備える、請求項３５〜４２のいずれか一項に記載の方法。
【発明の詳細な説明】
【技術分野】
【０００１】
本開示は、静止軌道ではない人工衛星の通信システムに関する。より具体的には、本開示は、容易に展開されることができる再構築可能な人工衛星アクセスポイント（アンテナシステム）、そのような人工衛星アクセスポイントから構成された人工衛星アクセスサイト又はアンテナファーム、及び、関連した方法に関する。
【背景技術】
【０００２】
低コストのブロードバンドインターネットサービスを地球上の任意の位置にもたらすための人工衛星通信システムが、現在開発されている。図１は、そのような人工衛星通信システム１０を図示する。図示されるように、システム１０は、アンテナファームとして言及される、１つ又は複数の人工衛星アクセスサイト（ＳＡＳ）を含む。人工衛星アクセスサイト１２のそれぞれは、地上ゲートウェイアンテナとして知られている、個々の人工衛星アクセスポイント（ＳＡＰ）１４を備える。人工衛星アクセスサイト１２はそれぞれ、いくつかのシステムにおいて、４個から２０個までの人工衛星アクセスポイント１４を含んでもよい。さらに、それらのシステムのいくつかは、世界中で５０個以下の人工衛星アクセスサイト１２を備えてもよい。
【０００３】
また、図１に図示されるように、人工衛星アクセスサイト１２の人工衛星アクセスポイント１４は、インターネット又は他のネットワークに接続されることができ、インターネット又は他のネットワークを静止軌道ではない人工衛星群に結び付けることができ、次いで地球上に位置付けられた安価なユーザー端末１８に結び付けることができる。ユーザー端末１８は、住宅及びビジネスにおいて、ラップトップなどのユーザーコンピュータ及びユーザーの携帯電話等にインターネット接続を提供する。
【０００４】
人工衛星アクセスサイト１２の人工衛星アクセスポイント１４は、比較的大きな追跡アンテナアセンブリを備える。それ故に、民間の作業プロジェクト（ｃｉｖｉｌ  ｗｏｒｋｓ  ｐｒｏｊｅｃｔ）は、人工衛星アクセスサイト１２を構成するように現在要求されている。
【０００５】
それ故に、製造施設又は同様の施設において製造及び組み立てられることができ、所望された敷地に輸送するために容易且つ迅速に構築されることができ、人工衛星アクセスサイトを迅速に構成するように、敷地における展開のために容易且つ迅速に再構築される人工衛星アクセスポイントが必要される。
【発明の概要】
【発明が解決しようとする課題】
【０００６】
本願に開示されたものは、再構築可能な人工衛星アクセスポイントであって、様々な実施形態において、輸送用装着構造と、前記輸送用装着構造と一体化された少なくとも１つのアンテナと、を備え、前記輸送用装着構造は、前記人工衛星アクセスポイントが輸送形態と展開形態との間で容易に再構築されるのを可能にし、前記輸送形態における前記人工衛星アクセスポイントは、前記人工衛星アクセスポイントが地球上の遠隔の人工衛星アクセスサイトに輸送されることを可能にする輸送コンテナの形態要因を有し、前記展開形態における前記人工衛星アクセスポイントは、前記人工衛星アクセスサイトで前記少なくとも１つのアンテナを空に公開する、再構築可能な人工衛星アクセスポイントである。
【０００７】
さらに本願に開示されたものは、人工衛星アクセスサイトを構成するための方法であって、様々な実施形態において、人工衛星アクセスポイントを作成するために、少なくとも１つのアンテナを輸送用装着構造と一体化するステップと、前記人工衛星アクセスポイントが輸送コンテナの形態要因を有する輸送形態になるように前記人工衛星アクセスポイントを構築するステップと、前記人工衛星アクセスサイトのために、地球上で所望の位置に人工衛星アクセスポイントを輸送するステップと、前記少なくとも１つのアンテナを空に公開するために、前記サイトで展開形態になるように前記人工衛星アクセスポイントを再構築するステップと、を備える、方法である。
【図面の簡単な説明】
【０００８】
【図１】本開示による従来技術の人工衛星通信システムの実施形態の概略図である。
【図２Ａ】本開示による再構築可能な人工衛星アクセスポイント（ＳＡＰ）の実施形態の端面図である。
【図２Ｂ】図２Ａの輸送可能な人工衛星アクセスポイントの側面図である。
【図３Ａ】折り畳まれた状態で、又は、輸送のための輸送形態に組み立てられた、図２Ａ及び図２Ｂに示された人工衛星アクセスポイントの斜視図である。
【図３Ｂ】人工衛星のアクセスサイトにおける人工衛星アクセスポイントの展開中に、それを展開構造に分解することによって、それが再構築される、図３Ａに示された人工衛星アクセスポイントの斜視図である。
【図３Ｃ】人工衛星のアクセスサイトにおける人工衛星アクセスポイントの展開中に、それを展開構造に分解することによって、それが再構築される、図３Ａに示された人工衛星アクセスポイントの斜視図である。
【図３Ｄ】人工衛星のアクセスサイトにおける人工衛星アクセスポイントの展開中に、それを展開構造に分解することによって、それが再構築される、図３Ａに示された人工衛星アクセスポイントの斜視図である。
【図３Ｅ】人工衛星のアクセスサイトにおける人工衛星アクセスポイントの展開中に、それを展開構造に分解することによって、それが再構築される、図３Ａに示された人工衛星アクセスポイントの斜視図である。
【図４Ａ】人工衛星アクセスポイントサブユニットを互いに組み立てる、２つの人工衛星アクセスポイントサブユニットを備える人工衛星アクセスポイントの他の実施形態の斜視図である。
【図４Ｂ】人工衛星アクセスポイントサブユニットを互いに組み立てる、２つの人工衛星アクセスポイントサブユニットを備える人工衛星アクセスポイントの他の実施形態の斜視図である。
【図４Ｃ】人工衛星アクセスポイントサブユニットを互いに組み立てる、２つの人工衛星アクセスポイントサブユニットを備える人工衛星アクセスポイントの他の実施形態の斜視図である。
【図４Ｄ】人工衛星アクセスポイントサブユニットが互いから任意選択的に分離され、人工衛星アクセスサイトにおける人工衛星アクセスポイントの展開中に、展開形態に分解される、２つの人工衛星アクセスポイントサブユニットを備える人工衛星アクセスポイントの他の実施形態の斜視図である。
【図４Ｅ】人工衛星アクセスポイントサブユニットが互いから任意選択的に分離され、人工衛星アクセスサイトにおける人工衛星アクセスポイントの展開中に、展開形態に分解される、２つの人工衛星アクセスポイントサブユニットを備える人工衛星アクセスポイントの他の実施形態の斜視図である。
【図５】人工衛星アクセスポイントの他の実施形態である。
【図６】人工衛星アクセスサイトの様々な実施形態のブロック図である。
【図７】人工衛星アクセスサイトの様々な実施形態のブロック図である。
【図８】人工衛星アクセスサイトの様々な実施形態のブロック図である。
【図９】人工衛星アクセスサイトの様々な実施形態のブロック図である。
【図１０】本開示の実施形態による人工衛星アクセスサイトを構成し、且つ迅速に展開する方法を図示するフローチャートである。
【発明を実施するための形態】
【０００９】
図２Ａ及び図２Ｂは、本願開示の実施形態による再構築可能な人工衛星アクセスポイント２０を図示する。この人工衛星アクセスポイント２０は、人工衛星アクセスサイトに輸送され、そこで迅速に展開されることができる。人工衛星アクセスポイント２０は、輸送用装着構造４０と一体化した１つ又は複数のアンテナ２２を備える。輸送形態で構築された場合に、人工衛星アクセスポイント２０は、ＩＳＯ標準の共同一貫輸送用コンテナなどの輸送用コンテナの形態要因を有することができる。それによって、人工衛星アクセスポイント２０が、人工衛星アクセスサイトへのさらなる準備をすることなく輸送されることができる。人工衛星アクセスサイトに着くと、人工衛星アクセスポイント２０は、人工衛星アクセスサイトで人工衛星アクセスポイント２０を展開するために、人工衛星アクセスポイント２０を展開形態に分解する（ｃｏｌｌａｐｓｉｎｇ）ことによって容易に且つ迅速に再構築されることができる。
【００１０】
人工衛星アクセスポイント２０のアンテナ２２は、パラボラ型アンテナ２４を備える。他の実施形態において、アンテナ２２は、フェーズアレイアンテナ又はホーンアンテナを備えることができる。さらなる他の実施形態において、アンテナアセンブリは、もし所望される場合に、１つ又は複数のアンテナアセンブリから他のアンテナアセンブリへ変更するアンテナ設計（例えば、パラボラ型、フェーズアレイ型、ホーン型）を有することができる。いくつかの実施形態において、レードーム２８（図２Ａ及び図２Ｂに図示される）は、アンテナ２２を覆うように設けられてもよい。そのような実施形態におけるレードーム２８は、アンテナ２２のための保護シェルとして動作する。
【００１１】
いくつかの実施形態において、輸送用装着構造４０は、剛性容器型サブ構造４１と、ペデスタル（ｐｅｄｅｓｔａｌ）型サブ構造２６とを含むことができる。容器型サブ構造４１は、人工衛星アクセスポイント２０における使用のために選択された特定のアンテナ２２のための形状、サイズ、重量、及び強度（壁厚さ、肋材等）に関して具体的に設計されており、いくつかの実施形態において、特定のアンテナ２２と一体化されるであろう特定のアンテナ電子機器のために、具体的に設計される。ペデスタル型サブ構造２６は、アンテナ２２を容器型サブ構造４１と接続しており、容器型サブ構造４１に対してアンテナ２２を機械的に移動するように適合されることができる。より具体的には、ペデスタル型サブ構造２６は、容器型サブ構造４１に対してアンテナ２２を機械的に移動する１つ又は複数のモータ（図示せず）を備えることができる。いくつかの実施形態において、ペデスタル型サブ構造２６は、容器型サブ構造４１に対してアンテナを傾斜させる第１のモータと、容器型サブ構造４１に対してアンテナを回転又は回動させる第２のモータとを備える。
【００１２】
いくつかの実施形態において、アンテナ電子機器（図示せず）は、輸送用装着構造４０と一体化されてもよい。アンテナ電子機器は、モータコントローラと、データを送信及び受信するためのＲＦ装置と、人工衛星アクセスポイント２０が関連した人工衛星アクセスサイトの中央コントローラと通信することを可能にし、且つ関連した人工衛星アクセスサイトの電力変換システムから電力を受信することを可能にするためのモデムと、を備える。
【００１３】
図３Ａを参照すると、輸送用装着構造４０の容器型サブ構造４１は、一の実施形態において、ベース４２と、対向する上壁部分４４、対向する側壁４６、及び対向する端壁４８とを備える。ベース４２は、ペデスタル型サブ構造２６と一体であってもよく、又はペデスタル型サブ構造２６に一体的に接続されてもよい。人工衛星アクセスポイント２０が輸送構造と展開構造との間で再構築できるのを可能にするために、上壁部分４４は、側壁４６のうちの対応する側壁（及び／又は、他の実施形態において端壁４８）に回動可能に及び／又は取り外し可能に取り付けられることができる。側壁４６及び端壁４８は、ベース４２に回動可能に及び／又は取り外し可能に取り付けられることができる。容器型サブ構造４１は、硬い保護材料及び／又はそれらの材料の組み合わせから製造されることができる。
【００１４】
いくつかの実施形態において、人工衛星アクセスポイント２０は、開いた輸送用コンテナ（例えば、ＩＳＯ標準の共同一貫輸送用コンテナ）の形態になるようにベース４２に対して容器型サブ構造の側壁４６及び端壁４８を上向きに回動的に移動させることによって、且つ容器型サブ構造４１を閉鎖するように側壁４６及び端壁４８に対して上壁部分４４を回動的に移動させることによって輸送形態で配置されることができる。それによって、人工衛星アクセスポイント２０は、さらなる準備をすることなく、所望される人工衛星アクセスサイトに輸送されることができる。人工衛星アクセスサイトに到着すると、人工衛星アクセスポイント２０は、人工衛星アクセスポイント２０の電力接続及びネットワーク接続を可能にするために、アンテナ２２をカバーから外すために、人工衛星アクセスポイント２０の容器型サブ構造４１を開き且つ分解するように、側壁４６及び端壁４８に対して上壁部分４４を回動的に移動させること及びベース４２に対して側壁４６及び端壁４８を回動的に移動させることによって展開形態に分解されることができる。他の実施形態において、人工衛星アクセスポイント２０は、開いた輸送コンテナの形態になるように容器型サブ構造の側壁４６及び端壁４８をベース４２に取り付けることによって、容器型サブ構造４１を閉鎖するように上壁部分４４を側壁４６及び端壁４８に取り付けることによって、輸送形態で配置されることができ、それによって、人工衛星アクセスポイント２０は、さらなる準備をすることなく、所望された人工衛星アクセスサイトに輸送されることができる。人工衛星アクセスサイトに到着すると、人工衛星アクセスポイント２０は、側壁４６及び端壁４８から上壁部分４４を取り外すことによって、及び、側壁４６及び端壁４８をベース４２から取り外すことによって展開形態に分解されることができ、それによって、アンテナ２２をカバーから外し、且つ人工衛星アクセスポイント２０の電力接続及びネットワーク接続を可能にする。さらなる他の実施形態において、人工衛星アクセスポイント２０は、開いた輸送コンテナの形態になるようにベース４２に対して側壁４６及び端壁４８を上向きに取り付けること及び／又は回動的に移動させることによって、且つ、容器型サブ構造４１を閉鎖するように側壁４６及び端壁４８に対して上壁部分４４を取り付けること及び／又は上向きに回動的に移動させることによって、輸送形態で配置されることができ、さらなる準備をすることなく、所望された人工衛星アクセスサイトに輸送されることができる。人工衛星アクセスサイトに到着すると、人工衛星アクセスポイント２０は、上壁部分４４を側壁４６及び端壁４８に対して又は側壁４６及び端壁４８から取り外すこと及び／又は回動的に移動させることによって、及び、側壁４６及び端壁４８をベース４２に対して又はベース４２から取り外すこと及び／又は回動的に移動させることによって展開形態に分解されることができ、それによって、アンテナ２２をカバーから外し、且つ人工衛星アクセスポイント２０の電力接続及びネットワーク接続を可能にする。
【００１５】
コネクタ（図示せず）は、上壁部分４４のそれぞれを側壁４６のうちの対応するものに回動的に及び／又は取り外し可能に取り付けるために、且つ側壁４６及び端壁４８をベース４２に回動的に及び／又は取り外し可能に取り付けるために、設けられることができる。いくつかの実施形態において、コネクタは、ヒンジ配置構成、固定具（例えば、クイックコネクトファスナ）、又は他の配置構成を備えることができる。ヒンジ配置構成は、限定されるものではないが、リビングヒンジ、バレルヒンジ、ピアノヒンジ、その組み合わせ、又は、図３Ａ〜図３Ｅに図示されるように、輸送形態と展開形態との間で人工衛星アクセスポイントの容器型サブ構造４１の再構築を可能にするために、上壁部分４４、側壁４６、及び端壁４８が互いに回動的に及び／又は取り外し可能に取り付けられることを可能にする他の適切な配置構成を備えることができる。
【００１６】
取り外し可能なピン（図示せず）又は他の手段  は、垂直方向の位置又は直立位置（開いた輸送形態）で人工衛星アクセスポイントの容器型サブ構造４１の側壁４６及び端壁４８をロックするために、且つ、水平位置又は閉鎖位置（閉鎖した輸送形態）で上壁部分４４をロックするために使用されることができる。それによって、人工衛星アクセスポイント２０は輸送されることができる。取り外し可能なピン又は他の手段は、人工衛星アクセスポイント２０が展開形態に分解される場合に、特別な工具を使用することなく壁４４、４６、及び４８を解除し下げることを可能にする。スロー解放ライン５０、ストラット、バラストアーム、及び／又は他の手段は、図３Ｂ〜図３Ｅに図示されるように、人工衛星アクセスポイント２０を展開形態に迅速に分解する制御された方法及び／又は自動的な方法で側壁４６及び端壁４８を回動させて地面に置くことを可能にするために設けられることができる。
【００１７】
展開形態になると、上壁部分４４、側壁４６、及び端壁４８のうちの１つ又は複数は、図３Ｅに図示されるように、容器型サブ構造４１の壁４４、４６、４８を通じて設けられた孔（見えない）を通じて延在するステーク５２及び／又は適切な固定具を使用して適所にロックされることができる。他の実施形態において、上壁部分４４、側壁４６、及び端壁４８は、地面に至るまで回動される場合、自動的にロックするように適合されることができる。例えば、いくつかの実施形態において、ヒンジ配置構成は、壁４４、４６、４８が（展開形態で）回動した下方位置に達した場合に、自動的にロックするように適合されてもよく、それによって、壁４４、４６、４８を回動した下方位置に保持する。他の実施形態において、スロー解放ライン５０、ストラット、及び／又はバラストアームは、壁４４、４６、４８が回動した下方位置に達した場合に、自動的にロックするように適合されてもよく、それによって、壁４４、４６、４８を回動した下方位置に保持する。他の実施形態において、ステーク、ボルト、又は他の手動のロック手段は、必要がある場合に又は所望される場合に、自動のロック手段と併せて使用されることができる。
【００１８】
人工衛星アクセスポイント２０を展開形態で配置した後で、電力及びデータケーブルの接続のみが、展開を完成させるために必要とされる。
【００１９】
いくつかの実施形態において、人工衛星アクセスポイント２０には、ソーラーパネルが設けられることができ、これらのソーラーパネルは、容器型サブ構造４１の上壁部分４４、側壁、及び／又は端壁４８の内側表面に取り付けられる。ソーラーパネルは、人工衛星アクセスポイントが展開形態に分解される場合に人工衛星アクセスポイント２０を自動的に充電し且つ電力供給し始めるように適合されることができ、且つ構築されることができる。
【００２０】
図４Ａに図示されるように、より小さいセクションで輸送されることができるより小さいアンテナ２２又はより大きいアンテナを備えるいくつかの実施形態において、人工衛星アクセスポイント２００は、単一のユニットになるように機械的に接続された複数の人工衛星アクセスポイントサブユニット２０１、２０２を備えてもよい。そのような実施形態において、各人工衛星アクセスポイントサブユニット２０１、２０２は、一体化された輸送用装着構造４０１、４０２と、アンテナ又はアンテナ部分２２１、２２２とを含む。人工衛星アクセスポイントサブユニット２０１、２０２は、ボルト又はいくつかの他の固定具配置構成を使用して図４Ｂに図示されるように互いに機械的に接続されることができ、それによって、ＩＳＯ標準規格コンテナなどの輸送コンテナの形態要因を有する単一の輸送可能で迅速に展開可能な人工衛星アクセスポイント２００を形成することができる。例えば、一の実施形態において、各アンテナ２２１、２２２は、１．９メートル直径のパラボラ型アンテナ及び選択的なレードームを備えてもよい。そのような寸法のアンテナ２２１、２２２は、２０フィートの長さを有するコンテナの形態要因をそれぞれ有する適切に構築された輸送用装着構造４０１、４０２と一体化されることができ、これらの輸送用装着構造４０１、４０２は、図４Ｃに図示されるように、互いに機械的に接続される場合に、４０フィートの長さを有する人工衛星アクセスポイント２００を形成し、この人工衛星アクセスポイント２００は人工衛星アクセスサイトの場所に輸送されることができる。人工衛星アクセスサイトに到達すると、人工衛星アクセスポイント２００は、前述したように、人工衛星アクセスポイント２００を展開形態に分解することによって迅速に展開されることができる。
【００２１】
４０フィートの長さの人工衛星アクセスポイント２００の両側に２つのアンテナ２２１、２２２を提供することは、十分である分離距離を有してもよい。より具体的には、アンテナ２２１、２２２の間の分離距離は、アンテナ２２１、２２２が低い仰角（１０〜１５度）で空を観察するために互いを通じて指向するのを妨げるのに十分であるべきである。分離距離が十分ではなく、２つ以上のアンテナによって人工衛星アクセスポイントを輸送することが依然として所望される場合に、人工衛星アクセスサイトのサイトに到達すると、人工衛星アクセスポイント２００は、人工衛星アクセスポイントサブユニット２０１、２０２を互いから分離することによって、図４Ｄに図示されるように、（例えば、互いを通じて指向するのを避けるために）それらを引っ張りそれらを所望された位置に持ち上げることによって、且つ図４Ｅに図示されるように、人工衛星アクセスポイントサブユニット２０１、２０２のそれぞれを展開形態に分解することによって、容易に展開されることができる。
【００２２】
図５は、アンテナ２２がレードームを含まない人工衛星アクセスポイントの実施形態を図示する。そのような実施形態において、アンテナ２２のそれぞれは、２．４メートルまでの直径を有するパラボラ型アンテナ２４を備えることができる。
【００２３】
アンテナ２２及び輸送用装着構造４０に追加して、人工衛星アクセスポイント２０、２００は、それに一体化された他の人工衛星アクセスサイトの設備をさらに含んでもよい。これらの他の人工衛星アクセスサイトの設備は、それらに限定するわけではないが、中央コントローラ６８（別個のコンテナがそのような設備のために設けられる）と、アンテナ２２を移動させるための１つ又は複数のモータとを含み、これらは予備配線されることができる。それ故に、人工衛星アクセスポイント２０、２００の設置を完成させるための唯一の接続は、（入手可能であるものに応じて１１０、２２０、又は４４０のいずれかである）ローカルな送電網から人工衛星アクセスポイント２０、２００のための電力供給、及び人工衛星アクセスポイント２０、２００をインターネット又は他のネットワークに接続するイーサネット（登録商標）ケーブルのいくつかの形態である。
【００２４】
アンテナ２２は、信号を送信し、且つ信号を受信し、その後、それらの信号は、地上波通信システムにおいて変換され、且つ集約される。様々な実施形態において、通信システムは、デジタルネットワークであってもよく、そのようなシステムのいくつかの実施形態において、データは、ルータを含む中央コントローラによって転送されるＩＰ（レイヤ３）とされるだろう。他の実施形態において、そのようなシステムは、他の種類のコントローラによって処理されることができるデジタルサンプル（レイヤ１）又はＷＡＮイーサネット（レイヤ２）を使用してもよい。
【００２５】
本開示の再構築可能な人工衛星アクセスポイント２０、２００（及び他の人工衛星アクセスサイトの設備）はそれぞれ、人工衛星アクセスサイトの中央コントローラによって制御され、且つ管理されることができ、それによって、迅速に展開可能な人工衛星アクセスサイトを形成することができる。いくつかの実施形態において、人工衛星アクセスポイント２０、２００のそれぞれは、地球上のどこにでも配置されてもよく、人工衛星アクセスポイント２０、２００のそれぞれが設けられたＧＰＳユニットを使用することは、中央コントローラにその位置及び利用可能性を通知する。それ故に、構築プロセスの大部分が自動化されることを可能にする。人工衛星アクセスサイトの中央コントローラは次いで、人工衛星トラッキング及びデータ転送を含むそれらの機能を実施するために人工衛星アクセスポイント２０、２００に自動的に命令することを可能にするだろう。
【００２６】
図６は、本開示の実施形態による人工衛星アクセスサイト６０のブロック図である。人工衛星アクセスサイト６０は、複数の前述した人工衛星アクセスポイント２０、２００から構成されており、それは地球上のどこにでも配置されることができる。各人工衛星アクセスポイント２０、２００のアンテナ電子部品は、モデム６２を含むことができ、このモデムは、人工衛星アクセスサイト６０の中央コントローラ６８と通信し、且つ中央コントローラ６８から受け取ったデジタルビットストリームからのデータを、人工衛星アクセスポイント２０、２００のアンテナ２２、２２１、２２２からの送信に適したアナログ波形に変換する。モデム６２はまた、アンテナ２２、２２１、２２２によって受信されたアナログ波形を、人工衛星アクセスサイト６０の中央コントローラ６８に通信されるデジタルビットストリームへ変換する。人工衛星アクセスポイント２０、２００のアンテナ電子部品は、アナログ波形を増幅し且つフィルタリングするＲＦ構成要素６６と、アンテナ２２、２２１、２２２のアンテナを指向するモータコントローラ６４と、をさらに備えてもよい。それによって、それらのアンテナは正しい人工衛星を常に追跡する。人工衛星アクセスサイト６０の中央コントローラ６８は、人工衛星アクセスサイト６０をインターネット８０又は他のネットワークに接続する。一般的な実施形態において、中央コントローラ６８はルータを備えることができ、そのルータは、人工衛星アクセスサイト６０の場所において、インターネット８０又は他のネットワークと人工衛星アクセスポイント２０、２００との間のデータトラフィックを方向付ける。人工衛星アクセスサイト６０は、人工衛星アクセスサイトの電力変換システム７０を含み、その電力変換システム７０は外部のローカルな電力グリッド９０に接続される。電力変換システム７０は、ローカルな電力グリッド９０によって供給された電力（例えば、５０Ｈｚで２５０Ｖ）を、人工衛星アクセスポイント２０、２００の電力要件（例えば、１２０Ｖ交流）に変換する。人工衛星アクセスサイト６０は、ローカルな電力グリッド９０を備えていない１つ又は複数の補助電力システムをさらに含むことができる。図６の実施形態において、補助電力システムは、電力バックアップシステム７２（例えば、バッテリ）及びディーゼル発電機及び／又はソーラーパネル７４を含む。
【００２７】
いくつかの実施形態において、人工衛星アクセスサイト６０は、例えばイリジウム（例えば、イリジウム携帯）を使用して、１つ又は複数の人工衛星システムへの低いデータレートのグローバル相互接続を含むことができる。それによって、送達ビークルから降ろされると、人工衛星アクセスサイト６０は、設定を開始し、且つ初期化指示を受信するために、クラウド（インターネット上にホストされた遠隔に位置したサーバのネットワーク）又は他のネットワークと常に接触状態になることができる。このことは、有線のインターネット接続が一時的に失う場合には、中央コントローラ又は使用者に低い速度のデータ接続性を提供することができる。
【００２８】
人工衛星アクセスサイト６０は、複数の再構築可能な人工衛星アクセスポイント２０、２００が中央コントローラ６８によって一緒にローカル的に接続されることを可能にする。この場合において、人工衛星アクセスポイント２０、２００の全てが、人工衛星の間のスイッチ移動インターネットトラフィック（ｓｗｉｔｃｈ  ｍｏｖｉｎｇ  Ｉｎｔｅｒｎｅｔ  ｔｒａｆｆｉｃ）を形成し、そのようなトラフィックを通過させることができる、有線又は無線の任意の他の媒体を形成する。言い換えれば、データは、任意の人工衛星アクセスポイント２０、２００から任意の人工衛星アクセスポイント２０、２００へ通過することができ、又は、任意の人工衛星アクセスポイント２０、２００からインターネット８０へ通過することができる。
【００２９】
図７は、本開示の他の実施形態による人工衛星アクセスサイト６０．１のブロック図である。図示されるように、人工衛星アクセスサイト６０．１の中央コントローラ６８及び電力変換システム７０は、単一の輸送コンテナ７１内に組み合わせられる。
【００３０】
図８は、本開示のさらなる実施形態による人工衛星アクセスサイト６０．２のブロック図である。図示されるように、人工衛星アクセスサイト６０．２の中央コントローラ６８及び電力変換システム７０（及びいくつかの補助電力システム）は、別個のコンテナ内に設けられる。
【００３１】
図９は、本開示のさらなる実施形態による人工衛星アクセスサイト６０．３のブロック図である。図示されるように、人工衛星アクセスサイト６０．３において、中央コントローラ６８及び電力変換システム７０は、単一の輸送コンテナ７１内に組み合わせされる。この単一の輸送コンテナ７１において、電力変換システム７０は、ローカルな電力グリッド８０に接続されており、中央コントローラ６８はインターネット又は他のネットワークに接続されていない。このことは、インターネット又は他のネットワークを使用することなく人工衛星の間のリレーとして作用するように、人工衛星アクセスポイント２０、２００のうちの人工衛星アクセスポイントにおけるアンテナを一の人工衛星に指向させること及び人工衛星アクセスポイント２０、２００のうちの他の人工衛星アクセスポイントにおけるアンテナを他の人工衛星に指向させることによって可能になる。
【００３２】
図１０は、本開示の実施形態による人工衛星アクセスサイトを構成する方法のフローチャートである。ボックス１００から開始して、人工衛星アクセスポイントのアンテナ、モデム、モータコントローラ、ＲＦ構成要素、輸送用装着構造、及び他の構成要素、並びに、人工衛星アクセスサイトの中央コントローラ、電力変換システム（該当する場合）、１つ又は複数の補助電力システム（該当する場合）、及び他の構成要素は、１つ又は複数の製造施設で製造される。いくつかの実施形態において、１つ又は複数のアンテナ及び対応する他の人工衛星アクセスポイントの構成要素は、人工衛星アクセスポイントを構成するために１つ又は複数の輸送用装着構造と一体化される。また、中央コントローラ、電力変換システム（該当する場合）、及び１つ又は複数の補助電力システム（該当する場合）は、それら自身の輸送可能なコンテナ内に一緒に又は分離して設けられる。他の実施形態において、１つ又は複数の中央コントローラ、電力変換システム、及び１つ又は複数の補助電力システムは、輸送用装着構造及びアンテナを有する人工衛星アクセスポイントと一体化されることができる。人工衛星アクセスポイント及び人工衛星アクセスサイトの構成要素は次いで、操作上検査されて、各人工衛星アクセスポイントの容器型サブ構造の壁は次いで折りたたまれ、且つ／又は輸送形態に組み立てられる。
【００３３】
ボックス１０２において、人工衛星アクセスポイント及び人工衛星アクセスサイトの構成要素のコンテナ（該当する場合）は、適切な輸送用ビークル又は複数の輸送用ビークルを使用して、遠隔の人工衛星アクセスサイトの場所に輸送される。人工衛星アクセスサイトの場所に到着すると、人工衛星アクセスポイント及び人工衛星アクセスサイトの構成要素のコンテナ（該当する場合）は、例えばクレーン又はブレーシングジャック（ｂｒａｃｉｎｇ  ｊａｃｋ）を使用して輸送用ビークルから取り外され、人工衛星アクセスサイトの場所において、所望な位置に配置される。
【００３４】
人工衛星アクセスポイントが複数の人工衛星アクセスポイントのサブユニットから構成される場合に、且つ、人工衛星アクセスポイントがアンテナと同様のものとの間に十分な距離を提供するために分離される必要がある場合に、次いでボックス１０４において、複数の人工衛星アクセスポイントのサブユニットは、互いに分離しており、複数の人工衛星アクセスポイントのサブユニットのうちの少なくとも１つのサブユニットは人工衛星アクセスサイトの場所において所望の位置に移動し、且つ配置される。
【００３５】
ボックス１０６において、各人工衛星アクセスポイント又は人工衛星アクセスポイントのサブユニットの容器型サブ構造の壁は、展開形態に分解され、地面上の所定の位置にロックされる。
【００３６】
ボックス１０８において、各人工衛星アクセスポイントのモデムは、中央コントローラ及び電力変換システムに接続される。さらに、中央コントローラは、インターネット又は他のネットワークに接続されており、電力変換システムはローカルな電力グリッドに接続される。
【００３７】
ボックス１１０において、人工衛星アクセスサイトは、インターネット又は他のネットワークを通じて、静止軌道ではない人工衛星群と接続する。ボックス１１２において、人工衛星アクセスポイントはそれらの指向及び取得成分を自動的に調整する。ボックス１１４において、人工衛星アクセスポイントは人工衛星群のうちの複数の人工衛星と接触し、ボックス１１６において、データはインターネット又は他のネットワークから人工衛星群のうちの複数の人工衛星へ流れ、且つ１つ又は複数のユーザー端末に流れる。
【００３８】
輸送可能で迅速に展開可能な人工衛星アクセスポイント及び人工衛星アクセスサイトが例示の実施形態に関して記載されているけれども、人工衛星アクセスポイント及び人工衛星アクセスサイトは、それらに限定されない。むしろ、添付された特許請求の範囲は、人工衛星アクセスポイント及び人工衛星アクセスサイトの技術的範囲及び同等物の範囲から逸脱することなく、当業者によって行われる可能性がある他の変形例及び実施形態を含むように幅広く解釈されるべきである。
【符号の説明】
【００３９】
１０  人工衛星通信システム
１２  人工衛星アクセスサイト
１４  人工衛星アクセスポイント（ＳＡＰ）
１８  ユーザー端末
２０  人工衛星アクセスポイント
２２  アンテナ
２４  パラボラ型アンテナ
２６  ペデスタル（ｐｅｄｅｓｔａｌ）型サブ構造
２８  レードーム
４０  輸送用装着構造
４１  剛性容器型サブ構造
４２  ベース
４４  上壁、上壁部分
４６  側壁
４８  端壁
５０  スロー解放ライン
５２  ステーク
６０  人工衛星アクセスサイト
６２  モデム
６４  モータコントローラ
６６  ＲＦ構成要素
６８  中央コントローラ
７０  電力変換システム
７１  輸送コンテナ
７２  電力バックアップシステム
７４  ソーラーパネル
８０  インターネット
９０  電力グリッド
１００  ボックス
１０２  ボックス
１０４  ボックス
１０６  ボックス
１０８  ボックス
１１０  ボックス
１１２  ボックス
１１４  ボックス
１１６  ボックス
２００  人工衛星アクセスポイント
【図１】
2019501573.tif 000003
【図２Ａ】
2019501573.tif 000004
【図２Ｂ】
2019501573.tif 000005
【図３Ａ】
2019501573.tif 000006
【図３Ｂ】
2019501573.tif 000007
【図３Ｃ】
2019501573.tif 000008
【図３Ｄ】
2019501573.tif 000009
【図３Ｅ】
2019501573.tif 000010
【図４Ａ】
2019501573.tif 000011
【図４Ｂ】
2019501573.tif 000012
【図４Ｃ】
2019501573.tif 000013
【図５】
2019501573.tif 000014
【図６】
2019501573.tif 000015
【図７】
2019501573.tif 000016
【図８】
2019501573.tif 000017
【図９】
2019501573.tif 000018
【図１０】
2019501573.tif 000019
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
再構築可能な人工衛星アクセスポイントであって、
輸送用装着構造と、
前記輸送用装着構造と一体化された少なくとも１つのアンテナと、
を備え、
前記輸送用装着構造は、前記人工衛星アクセスポイントが輸送形態と展開形態との間で容易に再構築されるのを可能にし、
前記輸送形態における前記人工衛星アクセスポイントは、前記人工衛星アクセスポイントが地球上の遠隔の人工衛星アクセスサイトに輸送されることを可能にする輸送コンテナの形態要因を有し、
前記展開形態における前記人工衛星アクセスポイントは、前記人工衛星アクセスサイトで前記少なくとも１つのアンテナを空に公開しており、
前記輸送用装着構造は、容器型サブ構造を備え、
前記容器型サブ構造は、ベースと、少なくとも１つの壁と、を含み、
前記ベースは、前記人工衛星アクセスサイトにおいて地面に前記人工衛星アクセスポイントを装着するためのものであり、
前記少なくとも１つの壁及び前記ベースは、輸送中に前記少なくとも１つのアンテナを包囲し、
前記少なくとも1つの壁は、端壁及び側壁を備え、
前記端壁及び前記側壁のそれぞれは、前記ベースに対して別々に回動的に移動可能であり、又は、
前記端壁及び前記側壁のそれぞれは、前記ベースから別々に取り外し可能であり、或いは、
前記端壁及び前記側壁のそれぞれは、前記人工衛星アクセスサイトにおいて前記少なくとも１つのアンテナを空に公開するために、前記ベースに対して別々に回動的に移動可能であり、且つ前記ベースから別々に取り外し可能である、人工衛星アクセスポイント。
【請求項２】
前記容器型サブ構造は、前記ベースに対する前記端壁及び／又は前記側壁の回動的な移動を可能にする、又は、前記端壁及び／又は前記側壁が前記ベースから取り外されることを可能にする、或いは、前記ベースに対する前記端壁及び／又は前記側壁の回動的な移動を可能にし、且つ、前記端壁及び／又は前記側壁が前記ベースから取り外されることを可能にするための少なくとも１つのコネクタをさらに含む、請求項１に記載の人工衛星アクセスポイント。
【請求項３】
前記容器型サブ構造は、上壁又は上壁部分をさらに含む、請求項１に記載の人工衛星アクセスポイント。
【請求項４】
前記容器型サブ構造は、前記上壁又は前記上壁部分を前記少なくとも１つの壁に回動的に且つ取り外し可能に取り付けることのうちの少なくとも１つのための少なくとも１つのコネクタをさらに含み、
それによって、前記少なくとも１つの壁に対する前記上壁又は前記上壁部分の回動的な移動を可能にし、又は、前記上壁又は前記上壁部分が前記少なくとも１つの壁から取り外されることを可能にし、或いは、前記少なくとも１つの壁に対する前記上壁又は前記上壁部分の回動的な移動を可能にし、且つ前記上壁又は前記上壁部分が前記少なくとも１つの壁から取り外されることを可能にする、請求項３に記載の人工衛星アクセスポイント。
【請求項５】
前記容器型サブ構造は、前記上壁又は前記上壁部分を自動的に回動する、又は前記上壁又は前記上壁部分が制御された方法で手動的に回動されること及び手動的に取り外されることのうちの少なくとも１つを可能にするためのスロー解放機構をさらに含む、請求項３に記載の人工衛星アクセスポイント。
【請求項６】
前記人工衛星アクセスサイトにおいて地面に前記上壁又は前記上壁部分を固定するための固定具をさらに備える、請求項３に記載の人工衛星アクセスポイント。
【請求項７】
前記容器型サブ構造は、前記端壁及び／又は前記側壁を自動的に回動する、又は前記端壁及び／又は前記側壁が制御された方法で手動的に回動されること及び手動的に取り外されることのうちの少なくとも１つを可能にするためのスロー解放機構をさらに含む、請求項１に記載の人工衛星アクセスポイント。
【請求項８】
前記スロー解放機構は、前記少なくとも１つのコネクタのうちの少なくとも１つと一体化される、請求項７に記載の人工衛星アクセスポイント。
【請求項９】
前記人工衛星アクセスサイトにおいて地面に前記端壁及び／又は前記側壁を固定するための少なくとも1つの固定具をさらに備える、請求項１に記載の人工衛星アクセスポイント。
【請求項１０】
前記人工衛星アクセスポイントは、互いに取り外し可能に接続された少なくとも２つの人工衛星アクセスポイントサブユニットを備える、請求項１に記載の人工衛星アクセスポイント。
【請求項１１】
前記少なくとも１つのアンテナは、複数のアンテナを備え、
前記人工衛星アクセスポイントサブユニットのそれぞれは、前記複数のアンテナのうちの少なくとも１つを含む、請求項１０に記載の人工衛星アクセスポイント。
【請求項１２】
アンテナ電子部品をさらに備える、請求項１に記載の人工衛星アクセスポイント。
【請求項１３】
前記アンテナ電子部品は、モデムと、モータコントローラと、ＲＦ設備とを備える、請求項１２に記載の人工衛星アクセスポイント。
【請求項１４】
人工衛星アクセスサイト設備をさらに備える、請求項１に記載の人工衛星アクセスポイント。
【請求項１５】
前記人工衛星アクセスサイト設備は、中央コントローラ、電力変換システム、及び補助電力システムのうちの少なくとも１つを備える、請求項１４に記載の人工衛星アクセスポイント。
【請求項１６】
請求項１に記載の人工衛星アクセスポイントの少なくとも１つを備える、迅速に展開可能な人工衛星アクセスサイト。
【請求項１７】
人工衛星アクセスサイトを構成するための方法であって、
人工衛星アクセスポイントを作成するために、少なくとも１つのアンテナを輸送用装着構造と一体化するステップであって、  前記輸送用装着構造は容器型サブ構造を備え、前記容器型サブ構造は、ベースと、少なくとも１つの壁と、を含み、前記ベースは、前記人工衛星アクセスサイトにおいて地面に前記人工衛星アクセスポイントを装着するためのものであり、前記少なくとも１つの壁及び前記ベースは輸送中に前記少なくとも１つのアンテナを包囲し、前記少なくとも１つの壁は端壁及び側壁を備え、前記端壁及び前記側壁のそれぞれは前記ベースに対して別々に回動的に移動可能であり、又は前記端壁及び前記側壁のそれぞれは前記ベースから別々に取り外し可能であり、或いは前記端壁及び前記側壁のそれぞれは、前記人工衛星アクセスサイトにおいて前記少なくとも１つのアンテナを空に公開するために、前記ベースに対して別々に回動的に移動可能であり、且つ前記ベースから別々に取り外し可能である、一体化するステップと、
前記人工衛星アクセスポイントが輸送コンテナの形態要因を有する輸送形態になるように前記人工衛星アクセスポイントを構築するステップと、
前記人工衛星アクセスサイトのために、地球上の所望の位置に前記人工衛星アクセスポイントを輸送するステップと、
前記少なくとも１つのアンテナを空に公開するために、前記サイトで展開形態になるように前記人工衛星アクセスポイントを再構築するステップと、
を備える、方法。
【請求項１８】
輸送する前記ステップの前に、前記人工衛星アクセスポイントを検査するステップをさらに備える、請求項１７に記載の方法。
【請求項１９】
前記人工衛星アクセスサイトのために、地球上の所望の位置において、前記人工衛星アクセスポイントを輸送用ビークルから取り外すステップをさらに備える、請求項１７に記載の方法。
【請求項２０】
地球上の所望の位置において、人工衛星アクセスポイントの少なくとも１つのアンテナアセンブリを他の人工衛星アクセスサイトの構成要素に接続するステップをさらに備える、請求項１７に記載の方法。
【請求項２１】
前記他の人工衛星アクセスサイトの構成要素をインターネット又は他のネットワーク及びローカルな電力グリッドの少なくとも１つに接続するステップをさらに備える、請求項２０に記載の方法。
【請求項２２】
前記人工衛星アクセスポイントは、互いに取り外し可能に接続された少なくとも２つの人工衛星アクセスポイントサブユニットを備える、請求項２１に記載の方法。
【請求項２３】
前記少なくとも１つのアンテナは、複数のアンテナを備え、
前記人工衛星アクセスポイントサブユニットのそれぞれは、前記複数のアンテナのうちの少なくとも１つを含む、請求項２２に記載の方法。
【請求項２４】
前記少なくとも１つのアンテナの間の十分な距離を提供するために、人工衛星アクセスポイントサブユニットを分離させるステップをさらに備える、請求項２３に記載の方法。
【請求項２５】
前記人工衛星アクセスポイントは、アンテナ電子部品をさらに備える、請求項２１に記載の方法。
【請求項２６】
前記アンテナ電子部品は、モデムと、モータコントローラと、ＲＦ設備とを備える、請求項２５に記載の方法。
【請求項２７】
前記構成要素は、人工衛星アクセスサイト設備をさらに備える、請求項２１に記載の方法。
【請求項２８】
前記人工衛星アクセスサイト設備は、中央コントローラ、電力変換システム、及び補助電力システムのうちの少なくとも１つを備える、請求項２７に記載の方法。
【請求項２９】
前記人工衛星アクセスサイトの１つ又は複数の構成要素をインターネット又は他のネットワークを通じて静止軌道ではない人工衛星群と接続するステップをさらに備える、請求項２１に記載の方法。
【請求項３０】
前記人工衛星と接続された前記人工衛星アクセスサイトの１つ又は複数の構成要素の指向及び取得成分を自動的に調整するステップをさらに備える、請求項２９に記載の方法。
【請求項３１】
データをインターネット又は他のネットワークから前記人工衛星及び１つ又は複数のユーザー端末へ流れさせるように、前記人工衛星と接続した前記人工衛星アクセスサイトの１つ又は複数の構成要素を前記人工衛星と通信させるステップをさらに備える、請求項３０に記載の方法。
【請求項３２】
前記容器型サブ構造は、前記ベースに対する前記端壁及び／又は前記側壁の回動的な移動を可能にする、又は、前記端壁及び／又は前記側壁が前記ベースから取り外されることを可能にする、或いは、前記ベースに対する前記端壁及び／又は前記側壁の回動的な移動を可能にし、且つ、前記端壁及び／又は前記側壁が前記ベースから取り外されることを可能にするための少なくとも１つのコネクタをさらに含む、請求項１７に記載の方法。
【請求項３３】
前記容器型サブ構造は、上壁又は上壁部分をさらに含む、請求項１７に記載の方法。
【請求項３４】
前記容器型サブ構造は、前記上壁又は前記上壁部分を前記少なくとも１つの壁に回動的に且つ取り外し可能に取り付けることのうちの少なくとも１つのための少なくとも１つのコネクタをさらに含み、
それによって、前記少なくとも１つの壁に対する前記上壁又は前記上壁部分の回動的な移動を可能にし、又は、前記上壁又は前記上壁部分が前記少なくとも１つの壁から取り外されることを可能にし、或いは、前記少なくとも１つの壁に対する前記上壁又は前記上壁部分の回動的な移動を可能にし、且つ前記上壁又は前記上壁部分が前記少なくとも１つの壁から取り外されることを可能にする、請求項３３に記載の方法。
【請求項３５】
スロー解放機構により、制御された方法で前記上壁又は前記上壁部分を自動的に回動するステップ、又は、スロー解放機構により、制御された方法で前記上壁又は前記上壁部分が手動的に回動されること及び手動的に取り外されることのうちの少なくとも１つを可能にするステップをさらに備える、請求項３３に記載の方法。
【請求項３６】
固定具により、前記上壁又は前記上壁部分を地面に固定するステップをさらに備える、請求項３３に記載の方法。
【請求項３７】
スロー解放機構により、制御された方法で前記端壁及び／又は前記側壁を自動的に回動するステップ、又は、スロー解放機構により、制御された方法で前記端壁及び／又は前記側壁が手動的に回動されること及び手動的に取り外されることのうちの少なくとも１つを可能にするステップをさらに備える、請求項１７に記載の方法。
【請求項３８】
前記スロー解放機構は、前記少なくとも１つのコネクタのうちの少なくとも１つと一体化される、請求項３７に記載の方法。
【請求項３９】
少なくとも１つの固定具により、前記端壁及び／又は前記側壁を地面に固定するステップをさらに備える、請求項１７に記載の方法。
【国際調査報告】
2019501573.tif 000020
2019501573.tif 000021